【事件の表示】
　特許第３１５９００２号「洗濯注湯ユニットの制御方法」の請求項１に係る特許に対する特許異議の申立てについて、次のとおり決定する。
【結　論】
　訂正を認める。
　特許第３１５９００２号の請求項１に係る特許を維持する。
【理　由】
【１】手続の経緯
　本件特許第３１５９００２号（請求項の数２）に係る発明についての出願は、平成７年９月２９日に特許出願され、平成１３年２月１６日にその発明について特許の設定登録がなされ、その後、その請求項１に係る特許について、申立人・青野哲巳より特許異議の申立てがなされ、取消理由通知がなされ、その指定期間内である平成１４年２月１５日に訂正請求がなされたものである。
　
【２】訂正の適否についての判断
　
［２−１］訂正の内容
　特許権者が請求する訂正の内容は、以下のとおりのものである。
ア．訂正事項ａ
　特許請求の範囲の請求項１における「残湯等」を「残湯又は注水電磁弁を介して水道水又は注湯電磁弁を介して湯」と訂正すると共に、
　明細書の段落【０００５】における「残湯等」を「残湯又は注水電磁弁を介して水道水又は注湯電磁弁を介して湯」と訂正する。
イ．訂正事項ｂ
　同請求項１における「待機状態」を「洗濯機の予約運転時の待機状態」と訂正すると共に、
　同書の同段落における「待機状態」を「洗濯機の予約運転時の待機状態」と訂正する。
ウ．訂正事項ｃ
　同請求項１における「待つものとし」を「行うものとし」と訂正すると共に、
　同書の同段落における「待つものとし」を「行うものとし」と訂正する。
エ．訂正事項ｄ
　同請求項１における「第１待機時間」を「残湯洗いコース或いは湯洗いコースのスタートスイッチのオンから所定時間」と訂正すると共に、
　同書の同段落における「第１待機時間」を「残湯洗いコース或いは湯洗いコースのスタートスイッチのオンから所定時間」と訂正する。
オ．訂正事項ｅ
　同請求項１における「残湯を供給する残湯洗い動作、」を「残湯洗いコース」と訂正すると共に、
　同請求項２における「残湯洗い動作」を「残湯洗いコース」と訂正し、
　同書の同段落における「残湯を供給する残湯洗い行程」を「残湯洗いコース」に、「元の残湯洗い行程」を「元の残湯洗いコース」にそれぞれ訂正する。
カ．訂正事項ｆ
　同請求項１における「湯を供給供給する湯洗い動作」を「湯洗いコース」と訂正すると共に、
　同請求項２における「湯洗い動作」を「湯洗いコース」と訂正し、
　同書の同段落における「湯を供給供給する湯洗い行程」を「湯洗いコース」に、「湯洗い行程に復帰」を「湯洗いコースに復帰」とそれぞれ訂正する。
　
［２−２］訂正の目的の適否、新規事項の有無及び拡張・変更の存否
　上記訂正事項ａ乃至ｆは、いずれも明りょうでない記載の釈明を目的とした明細書の訂正に該当する。
　そして、上記いずれの訂正事項も、明細書に記載された実施例に基づいたものであるから、新規事項の追加に該当せず、ポンプの長時間連続運転を防ぐとともに、湯洗いモードを選択した場合に給湯設定温度が拘束されることのない洗濯注湯ユニットの制御方法の提供という課題に変更を及ぼすものでもないから、実質上特許請求の範囲を拡張又は変更するものでもない。
　
［２−３］訂正の適否についての結論
　したがって、上記の訂正は、特許法第１２０条の４第２項の規定及び同条第３項で準用する同法第１２６条第２項及び第３項の規定に適合するので、当該訂正を認める。
　
【３】特許異議の申立てについての判断
　
［３−１］異議申立ての概要
　異議申立人・青野哲巳は、甲第１号証として特開平５−１１５６７９号公報を、そして甲第２号証として特開平６−２４９４９８号公報を、それぞれ提出し、本件の請求項１に係る発明は、甲第１号証及び甲第２号証に記載された各発明に基いて、その発明の属する技術の分野における通常の知識を有する者が容易に発明をすることができたものであって、特許法第２９条第２項の規定に違反して特許されたものであるから、取り消されるべきである旨主張している。
　
［３−２］本件の請求項１に係る発明
　上記【２】で示したように上記訂正が認められるから、本件の請求項１に係る発明（以下、「本件発明」という。）は、上記訂正請求に係る訂正明細書の特許請求の範囲の請求項１に記載された以下の事項により特定されるとおりのものである。
「風呂用循環加熱用熱交換器と給湯用熱交換器とを備え、風呂用循環加熱回路に循環ポンプを有し、水道水を加熱して、或いは加熱せずに洗濯機に供給する手段と、浴槽の残湯を加熱して、或いは加熱せずに洗濯機に供給する手段とを備えた洗濯注湯回路において、水流スイッチを注湯管に設置し、洗濯機に該水流スイッチを有する注湯管を介して残湯又は注水電磁弁を介して水道水又は注湯電磁弁を介して湯が供給されるように成し、洗濯機の予約運転時の待機状態においては前記水流スイッチによる通水検知を行うものとし、残湯を洗濯機に供給する残湯洗いコース、或いは水道水を加熱して洗濯機に供給する湯洗いコースを選択した場合、残湯洗いコース或いは湯洗いコースのスタートスイッチのオンから所定時間が経過するまで洗濯機への通水が無い時は、残湯洗いコース或いは湯洗いコースを中断して、注水電磁弁を開き、水道水を加熱せずに洗濯機に供給する水洗い行程の態勢で待機することを特徴とする洗濯注湯ユニットの制御方法。」
　
［３−３］甲各号証に記載の事項
［３−３−１］甲第１号証（特開平５−１１５６７９号公報）には、
　第２の熱交換器２（本件発明における「風呂用循環加熱用熱交換器」に対応する。以下、括弧内は本件発明における対応部分を示す。）と第１の熱交換器１（給湯用熱交換器）とを備え、配管１１（風呂用循環加熱回路）にポンプ１２（循環ポンプ）を有し、水道水を加熱して、或いは加熱せずに全自動洗濯機１９（洗濯機）に供給する手段と、浴槽１６（浴槽）の残り湯（残湯）を加熱して、或いは加熱せずに全自動洗濯機１９に供給する手段とを備えた給水装置（洗濯注湯回路）において、
　流水センサ２２（水流スイッチ）を洗濯機用配管１５（注湯管）に設置し、全自動洗濯機１９に該流水センサ２２を有する洗濯機用配管１５を介して残り湯等が供給されるように成し、待機スイッチ１６がＯＮの状態においては前記給水装置が洗濯側に切り替わるとともに全自動洗濯機１９の開閉弁２０の動作すなわち流水センサ２２による流水の検出に追従する動作が可能となるものとし、残り湯を全自動洗濯機１９に供給する洗いモード（残湯洗いコース）を選択した場合、給水装置は流水センサ２２により給水のインターバルｔ１，ｔ２，ｔ３・・・を監視しこのインターバルが設定時間Ｔ以上経過した場合に全自動洗濯機１９が洗いモードからすすぎモードに移行したものとして給水装置自体のモードを水道水供給手段を強制的に選択するすすぎモードに移行するようにした全自動洗濯機への給水装置における制御方法、
が記載されている。
［３−３−２］甲第２号証（特開平６−２４９４９８号公報）には、
　風呂加熱缶体２０（風呂用循環加熱用熱交換器）と温水給湯缶体１０（給湯用熱交換器）とを備え、往き管４１（風呂用循環加熱回路）に循環ポンプ５０（循環ポンプ）を有し、上水路からの水（水道水）を加熱して、或いは加熱せずに洗濯機２（洗濯機）に供給する手段と、浴槽１（浴槽）の浴槽水（残湯）を加熱して、或いは加熱せずに洗濯機２に供給する手段とを備えた給湯装置（洗濯注湯回路）において、
　水流スイッチ７２（水流スイッチ）を洗濯機用給水路７０（注湯管）に設置し、洗濯機２に該水流スイッチ７２を有する洗濯機用給水路７０を介して浴槽水等が供給されるように成した給湯装置、
が記載されている。
　
［３−４］対比・判断
　本件発明と上記甲各号証に記載の発明とを対比すると、上記甲各号証に記載の発明のいずれにも、少なくとも本件発明を特定する事項である、
「洗濯機の予約運転時の待機状態においては前記水流スイッチによる通水検知を行うものとし、残湯を洗濯機に供給する残湯洗いコース、或いは水道水を加熱して洗濯機に供給する湯洗いコースを選択した場合、残湯洗いコース或いは湯洗いコースのスタートスイッチのオンから所定時間が経過するまで洗濯機への通水が無い時は、残湯洗いコース或いは湯洗いコースを中断して、注水電磁弁を開き、水道水を加熱せずに洗濯機に供給する水洗い行程の態勢で待機する」構成
について記載されておらず、また、かかる構成を示唆する記載もない。
　そして、本件発明は、上記の構成を有することにより、『残湯洗いコース、或いは湯洗いコースを選択し、洗濯機を予約運転にセットした場合に、予約時間が経過する迄の間、循環ポンプの不要な連続運転を防止することができるとともに、給湯設定温度を任意に設定できる』（特許明細書の【００４２】【発明の効果】参照）という格別の効果を奏するものと認められる。
　それ故、本件発明が、上記甲第１号証又は甲第２号証のいずれかに記載されたものであるとも、また、上記甲第１号証及び甲第２号証に記載の発明に基いて当業者が容易に発明をすることができたものであるとも、認めることができない。
　
［３−５］むすび
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１４年２月２１日（２００２．２．２１）
【訂正の要旨】
訂正の要旨
（１）訂正事項ａ
　特許請求の範囲の請求項１における「残湯等」を「残湯又は注水電磁弁を介して水道水又は注湯電磁弁を介して湯」と訂正すると共に、
　明細書の段落【０００５】における「残湯等」を「残湯又は注水電磁弁を介して水道水又は注湯電磁弁を介して湯」と訂正する。
（２）訂正事項ｂ
　同請求項１における「待機状態」を「洗濯機の予約運転時の待機状態」と訂正すると共に、
　同書の同段落における「待機状態」を「洗濯機の予約運転時の待機状態」と訂正する。
（３）訂正事項ｃ
　同請求項１における「待つものとし」を「行うものとし」と訂正すると共に、
　同書の同段落における「待つものとし」を「行うものとし」と訂正する。
（４）訂正事項ｄ
　同請求項１における「第１待機時間」を「残湯洗いコース或いは湯洗いコースのスタートスイッチのオンから所定時間」と訂正すると共に、
　同書の同段落における「第１待機時間」を「残湯洗いコース或いは湯洗いコースのスタートスイッチのオンから所定時間」と訂正する。
（５）訂正事項ｅ
　同請求項１における「残湯を供給する残湯洗い動作、」を「残湯洗いコース」と訂正すると共に、
　同請求項２における「残湯洗い動作」を「残湯洗いコース」と訂正し、
　同書の同段落における「残湯を供給する残湯洗い行程」を「残湯洗いコース」に、「元の残湯洗い行程」を「元の残湯洗いコース」にそれぞれ訂正する。
（６）訂正事項ｆ
　同請求項１における「湯を供給供給する湯洗い動作」を「湯洗いコース」と訂正すると共に、
　同請求項２における「湯洗い動作」を「湯洗いコース」と訂正し、
　同書の同段落における「湯を供給供給する湯洗い行程」を「湯洗いコース」に、「湯洗い行程に復帰」を「湯洗いコースに復帰」とそれぞれ訂正する。
（５４）【発明の名称】
洗濯注湯ユニットの制御方法
（５７）【特許請求の範囲】
　【請求項１】　風呂用循環加熱用熱交換器と給湯用熱交換器とを備え、風呂用循環加熱回路に循環ポンプを有し、水道水を加熱して、或いは加熱せずに洗濯機に供給する手段と、浴槽の残湯を加熱して、或いは加熱せずに洗濯機に供給する手段とを備えた洗濯注湯回路において、水流スイッチを注湯管に設置し、洗濯機に該水流スイッチを有する注湯管を介して残湯又は注水電磁弁を介して水道水又は注湯電磁弁を介して湯が供給されるように成し、洗濯機の予約運転時の待機状態においては前記水流スイッチによる通水検知を行うものとし、残湯を洗濯機に供給する残湯洗いコース、或いは水道水を加熱して洗濯機に供給する湯洗いコースを選択した場合、残湯洗いコース或いは湯洗いコースのスタートスイッチのオンから所定時間が経過するまで洗濯機への通水が無い時は、残湯洗いコース或いは湯洗いコースを中断して、注水電磁弁を開き、水道水を加熱せずに洗濯機に供給する水洗い行程の態勢で待機することを特徴とする洗濯注湯ユニットの制御方法。
　【請求項２】　残湯洗いコース或いは湯洗いコースを選択し、水洗い行程の態勢で待機している時に、注湯管に設けた水流スイッチにより通水を検出した時点で元の残湯洗いコース或いは湯洗いコースに復帰させることを特徴とする請求項１記載の洗濯注湯ユニットの制御方法。
【発明の詳細な説明】
　【０００１】
　【発明の属する技術分野】
　本発明は、風呂循環加熱・給湯装置を用いて、風呂の残湯、給湯器からの湯、水等を全自動洗濯機に供給する洗濯注湯ユニットの制御方法に関する。
　【０００２】
　【従来の技術】
　従来、風呂の残湯や給湯器からの湯を全自動洗濯機に供給することが行われており、給水経路の水流の状態から全自動洗濯機の動作状態を判別し、その動作状態に応じて風呂の残湯や給湯器からの湯、水を供給するものが知られている。
　例えば、特開平５−１１５６７９号公報に記載されているものは、全自動洗濯機により制御される開閉弁に至る給水経路に流水センサを設け、洗いモードとしての動作開始後、流水センサが流水を連続して検出しない時間が設定時間を越えるまではこのモードを維持し、加熱・不加熱を選択する加熱選択手段と、水道水供給手段と浴槽水供給手段の何れかを選択する給水選択手段の何れも操作可能に制御するとともに、設定時間を越えた場合はすすぎモードに移行し、給水選択手段は強制的に水道水供給手段を選択させ、加熱選択手段のみ操作可能としている。
　【０００３】
　【発明が解決しようとする課題】
　しかしながら、上記従来の洗濯機への注湯及び注水装置においては、洗いモード、すすぎモードのそれぞれの設定を行った後、スタートスイッチ（上記公報では待機スイッチ）を投入して全自動洗濯機の運転を開始するものであるが、最近の全自動洗濯機は予約運転の機能を備えており、この予約運転が設定されると、設定時刻になるまで全自動洗濯機は動作せず、給水経路の電磁弁が閉止されたままであるから、待機状態になる。
　この時、残湯洗いが選択されていると、浴槽水供給手段の風呂給湯装置に設けられたポンプは運転したままの状態となり、騒音、ポンプの耐久性、電力の浪費等の問題があった。
　また、湯水混合弁を有しない洗濯機への注湯及び注水装置においては、湯洗いモードを選択し、全自動洗濯機が予約運転の場合、湯洗いモードを選択してスタートスイッチを投入した時に、給湯器の給湯設定温度を洗濯機注湯用の設定温度（例えば、４０℃）に設定し、洗いモードが終了するまで給湯設定温度の変更を禁止する必要がある（高温にすると衣類が傷む）ので、全自動洗濯機が動作を開始するまでの間、他の給湯使用の際に希望の温度に設定することができないという問題があった。
　【０００４】
　本発明の目的は、ポンプの長時間連続運転を防ぐとともに、湯洗いモードを選択した場合に給湯設定温度が拘束されることのない洗濯注湯ユニットの制御方法を提供することである。
　【０００５】
　【課題を解決するための手段】
　上記目的を達成するために本発明の洗濯注湯ユニットの制御方法は、風呂用循環加熱用熱交換器と給湯用熱交換器とを備え、風呂用循環加熱回路に循環ポンプを有し、水道水を加熱して、或いは加熱せずに洗濯機に供給する手段と、浴槽の残湯を加熱して、或いは加熱せずに洗濯機に供給する手段とを備えた洗濯注湯回路において、水流スイッチを注湯管に設置し、洗濯機に該水流スイッチを有する注湯管を介して残湯又は注水電磁弁を介して水道水又は注湯電磁弁を介して湯が供給されるように成し、洗濯機の予約運転時の待機状態においては前記水流スイッチによる通水検知を行うものとし、残湯を洗濯機に供給する残湯洗いコース、或いは水道水を加熱して洗濯機に供給する湯洗いコースを選択した場合、残湯洗いコース或いは湯洗いコースのスタートスイッチのオンから所定時間が経過するまで洗濯機への通水が無い時は、残湯洗いコース或いは湯洗いコースを中断して、注水電磁弁を開き、水道水を加熱せずに洗濯機に供給する水洗い行程の態勢で待機することにより、残湯洗いコース、或いは湯洗いコースを選択し、洗濯機を予約運転にセットした場合に、予約時間が経過する迄の間、循環ポンプの不要な連続運転を防止することができるとともに、給湯設定温度を任意に設定できるものである。
　また、残湯洗いコース或いは湯洗いコースを選択し、水洗い行程の態勢で待機している時に、注湯管に設けた水流スイッチにより通水を検出した時点で元の残湯洗いコース或いは湯洗いコースに復帰させることにより、洗濯機を予約運転にセットした場合に、予約時間が経過した時点で確実に残湯洗いコース或いは湯洗いコースを開始することができる。
　【０００６】
　【発明の実施の形態】
　図を参照して本発明の実施例を説明する。
　図１１において、本発明を適用する洗濯注湯ユニットを備えた給水給湯装置の概略構成を説明すると、風呂給湯装置１は、風呂循環熱交換器２と給湯熱交換器３を備え、図示しない熱源により加熱される。
　風呂循環熱交換器２には、風呂往入管５及び風呂戻り管６が接続されており、浴槽４に他端が連通した風呂戻り管６に循環ポンプ７が設けられ、風呂往入管５は洗濯注湯ユニット８の内部に導入されて三方弁９の入水口９１に接続され、三方弁９の風呂側出口９２に風呂往出管５１が接続され、風呂往出管５１の他端は浴槽４に連通している。
　また、給湯熱交換器３には、冷水（水道水）を給湯熱交換器３に供給する給水管３１及び加熱された湯を所定の給湯場所に送る給湯管３２がそれぞれ連通されている。
　【０００７】
　洗濯注湯ユニット８において、三方弁９の注湯側出口９３にフィルタ１０１を有するフィルタ室１０が連通され、フィルタ室１０には、水流スイッチ１２を有する注湯管１１が接続され、圧力安全弁１４を介して連通管１３が風呂往入管５に連通されるとともに、水抜き栓１５１を有する排水管１５が接続されている。
　注湯管１１は水栓２６を介して洗濯機２７に連通されるとともに、フィルタ室１０と水流スイッチ１２との間に給水給湯管１６の一端が接続され、給水給湯管１６の他端は直列に配置された逆止弁１７及び１８を介して注湯電磁弁１９及び注水電磁弁２０に接続されており、注湯電磁弁１９には給湯熱交換器３の給湯管３２から分岐された給湯分岐管２３が逆流抵抗弁２１を介して接続され、注水電磁弁２０には給水管３１から分岐されてフィルタ２５を有する給水分岐管２４が水ガバナ２２を介して接続されている。
　【０００８】
　図１２において、三方弁９の切換状態を説明すると、モータ９Ａで回動される弁体９０の回動位置はリミッタスイッチ（図示略）で検出するものであり、（ａ）は循環位置（例えば、回動角０度）で、入水口９１と風呂側出口９２、即ち風呂往入管５と風呂往出管５１が連通され、循環ポンプ７を駆動して加熱を行うことにより、浴槽４内の湯水を風呂戻り管６から風呂循環熱交換器２を経て風呂往入管５、三方弁９、風呂往出管５１より循環させて加熱する。
　（ｂ）は、残湯注水位置（例えば、回動角１８０度）で、入水口９１と注湯側出口９３、即ち風呂往入管５とフィルタ室１０を介して注湯管１１が連通され、循環ポンプ７を駆動することにより、浴槽４内の残湯を、風呂戻り管６から風呂循環熱交換器２を経て風呂往入管５、三方弁９、注湯管１１から水栓２６を介して洗濯機２７に注水するもので、この時必要に応じて図示しない熱源により加熱する。
　（ｃ）は、逆洗位置（例えば、回動角９０度）で、入水口９１と風呂側出口９２及び注湯側出口９３、即ち風呂往入管５と風呂往出管５１及び注湯管１１が連通され、給水分岐管２４から注湯管１１、フィルタ室１０を介して風呂往入管５と風呂往出管５１に給水することにより、フィルタ室１０内のフィルタ１０１を洗浄する。
　【０００９】
　図１３において、洗濯注湯ユニット８のリモートコントローラの一例を説明すると、リモートコントローラ３３は、運転スイッチ３４と運転スイッチ・ランプ３４１、スタートスイッチ３５とスタートスイッチ・ランプ３５１、浴槽４内の残湯を使用する残湯洗いコース、給湯熱交換器３からの湯を使用する湯洗いコース、冷水を使用する水洗いコースのいずれかの注湯コースを選択する選択スイッチ３６、及び選択された注湯コース並びに水すすぎコースを表示する注湯コース・ランプ３７１を有する表示部３７を備えている。
　【００１０】
　動作について説明すると、運転スイッチ３４をオンすると、電源が入り、運転スイッチ・ランプ３４１が点灯する。
　選択スイッチ３６を押して注湯コースを選択すると、選択された注湯コースに対応する注湯コース・ランプ３７１が点灯し、その後スタートスイッチ３５を押すと、選択した注湯コースで洗いを行い、その後水すすぎに移行するものである。
　注湯コースの選択において、残湯洗いコースを選択した場合、三方弁９が残湯注水位置（図１２ｂ参照）に回動されるとともに循環ポンプ７を運転し、注湯電磁弁１９及び注水電磁弁２０は閉止した状態を保持することにより、浴槽４内の残湯を風呂往入管５よりフィルタ室１０を介して注湯管１１より洗濯機２７に供給する。
　【００１１】
　なお、残湯洗いコースを選択した場合において、洗濯機２７を予約運転にセットすると、予約した時間が経過するまで洗濯機２７は停止しており、注水が行われないから、水流スイッチ１２はオフしている。
　水流スイッチ１２のオフが所定時間継続した場合、即ち注湯管１１内に所定時間水流が無い場合は、三方弁９を循環位置（図１２ａ）に回動して循環ポンプ７を停止させ、注水電磁弁２０を開いて給水分岐管２４を注湯管１１に連通させる水洗いコースの状態で待機する。
　この構成により、循環ポンプ７の不要な連続運転を防止することができる。
　【００１２】
　予約した時間が経過し、注湯管１１内に水流が生じて水流スイッチ１２がオンした場合は、先に選択した残湯洗い動作に復帰させて、三方弁９が残湯注水位置（図１２ｂ参照）に回動されるとともに循環ポンプ７を運転を再開し、注水電磁弁２０は閉止される。
　この時、水ガバナ２２を設けて通水流量を制限しているために、給水分岐管２４は通水状態から注水電磁弁２０が閉止される際に発生するウォータハンマを軽減している。
　【００１３】
　残湯洗いが終了すると、循環ポンプ７が停止されて三方弁９が逆洗位置（図１２ｃ）に回動され、注水電磁弁２０が開放されて注湯管１１からフィルタ室１０に冷水が供給されてフィルタ１０１を洗浄（フィルタ逆洗）して残湯洗い行程が終了し、その後三方弁９を循環位置（図１２ａ）に回動し、水すすぎ行程に移行する。
　【００１４】
　湯洗いコースを選択すると、風呂給湯装置１の給湯熱交換器３の出湯の給湯設定温度Ｔｓを洗濯注湯設定温度にＴｓｗに変更し（例えば、Ｔｓ＞４０℃の時はＴｓｗ＝４０℃、Ｔｓ≦４０℃の時はＴｓｗ＝Ｔｓ）、三方弁９を循環位置（図１２ａ）に保持したまま注湯電磁弁１９を開放して、注湯管１１から洗濯機２７に湯を供給する。
　湯洗い終了後、注湯電磁弁１９を閉止し、水すすぎコースに移行する。
　【００１５】
　なお、湯洗いコースを選択した場合において、洗濯機２７を予約運転にセットすると、予約した時間が経過するまで洗濯機２７は停止しており、注水が行われないから、水流スイッチ１２はオフしている。
　水流スイッチ１２のオフが所定時間継続した場合、即ち注湯管１１内に所定時間水流が無い場合は、注湯電磁弁１９を閉止し、注水電磁弁２０を開き、給湯熱交換器３の給湯設定温度Ｔｓを元に戻した後、給水分岐管２４を注湯管１１に連通させる水洗い行程の状態で待機する。
　【００１６】
　この構成により、湯洗いコースを選択し、洗濯機２７を予約運転にセットした場合に、予約時間が経過する迄の間、給湯設定温度Ｔｓを任意に設定できるものである。
　予約時間が経過した後、注湯管１１内に水流が生じて水流スイッチ１２がオンした場合は、給湯設定温度Ｔｓを洗濯注湯設定温度Ｔｓｗに変更し、注水電磁弁２０を閉止して注湯電磁弁１９を開き、注湯管１１から洗濯機２７に湯を供給して湯洗いを開始する。
　【００１７】
　水洗いコースを選択すると、注水電磁弁２０を開き、水流スイッチ１２がオンしている即ち注湯管１１無いに水流があることを確認して給水分岐管２４から洗濯機２７に注水を行い、注水を行っている時に、所定時間（例えば、３分間）の間水流スイッチ１２のオフが継続すると、水洗い行程が終了したものとして水すすぎ行程に移行する。
　水流スイッチ１２のオンが予め定めた時間（例えば、１８時間）継続した場合、または所定時間（３分間）継続していない水流スイッチ１２のオフがあってから予め定めた時間（例えば、２時間）経過した場合には、水すすぎ行程を省略して注水電磁弁２０を閉止し、注水動作を終了する。
　【００１８】
　【実施例】
　本発明の制御動作の一例を、図１乃至図１０のフローチャートを参照して説明する。
　図１において、運転スイッチ３４をオンすると、運転ランプ３４１が点灯し、注湯コースランプ３７１が点灯する。
　点灯する注湯コースランプ３７１は予め定められており、本実施例では残湯コースの表示ランプが始めに点灯するようにしている。
　残湯洗いコースを選択してスタートスイッチ３５をオンすると、スタートスイッチランプ３５１が点灯し、初期状態チェックが行われ、残湯洗い行程に移行して浴槽４内の残湯を洗濯機２７に供給する。
　残湯洗い行程終了後、フィルタ逆洗行程に移行して、フィルタ１０１に逆方向から水を通してフィルタ１０１を洗浄してから、水すすぎ行程に移行して水すすぎを行い、終了後注水電磁弁２０を閉じ、三方弁９を一旦逆洗位置（図１２ｃ）に回動してから循環位置（図１２ａ）に回動して停止させ、待機時間ｔ（例えば、１時間）経過後、スタートスイッチランプ３５１、運転ランプ３４１、注湯コースランプ３７１が消灯して洗濯が終了する。
　【００１９】
　湯洗いコースを選択してスタートスイッチ３５をオンすると、スタートスイッチランプ３５１が点灯し、初期状態チェックが行われた後、湯洗い行程に移行し、注湯電磁弁１９を開いて風呂給湯装置１からの湯を洗濯機２７に供給する。
　湯洗い終了後、上記残湯洗いコース終了後と同じく、水すすぎ行程に移行し、水すすぎ終了後洗濯を終了する。
　水洗いコースを選択してスタートスイッチ３５をオンすると、スタートスイッチランプ３５１が点灯し、初期状態チェックが行われた後、水洗い行程に移行し、注水電磁弁２０を開いて給水分岐管２４からの水を洗濯機２７に供給する。
　水洗い終了後、上記残湯洗いコース終了後と同じく、水すすぎ行程に移行し、水すすぎ終了後洗濯を終了する。
　【００２０】
　図２において、初期状態チェックを説明すると、水流スイッチ１２がオフしている、即ち注湯管１１に通水が無いことを確認した後、三方弁９が循環位置（図１２ａ）にあることを、三方弁９のリミッタスイッチにより、確認して初期状態チェックが終了する。
　いま、水流スイッチ１２がオンしている、即ち注湯管１１に通水があるという信号がある場合、第１初期時間ｔＦ１（例えば、２５秒間）経過しても水流スイッチ１２がオンしていると、運転ランプ３４１が１点点滅（点灯及び消灯が一定のリズムで１回ずつ交互に繰り返される）して警報を発する。
　また、三方弁９が循環位置（図１２ａ）ではないという信号が出力された場合には、第２初期時間ｔＦ２（例えば、２５秒間）経過しても三方弁９が循環位置（図１２ａ）にあることが確認されないと、運転ランプ３４１が２点点滅（点灯が２回ずつ１回の長めの消灯を挟んで交互に繰り返される）して警報を発する。
　運転ランプ３４１が１点点滅または２点点滅する警報を確認して、運転スイッチ３４をオフさせ、スタートスイッチランプ３５１、運転ランプ３４１及び注湯コースランプ３７１を消灯させた後、上記状態を引き起こした原因を除去してから、再起動を行う。
　【００２１】
　図３において残湯洗い行程を説明すると、循環ポンプ７を駆動するとともに、三方弁９を残湯注水位置（図１２ｂ）に回動してから、三方弁９が残湯注水位置（図１２ｂ）にあることを確認し、水流スイッチ１２がオンしている、即ち注湯管１１に通水があることを確認した後、注湯電磁弁１９及び注水電磁弁２０は閉止した状態を保持したまま、浴槽４内の残湯を風呂往入管５からフィルタ室１０を介して注湯管１１より洗濯機２７に供給する。
　水流スイッチ１２が所定時間（例えば、３分間）の間連続してオフとなるまで、残湯の供給を継続し、水流スイッチ１２が所定時間（３分間）連続してオフとなると、残湯洗い行程が終了したものとして、後述のフィルタ逆洗行程に移行する。
　【００２２】
　ところが、第３初期時間ｔＦ３（例えば、２５秒間）が経過しても三方弁９が残湯注水位置（図１２ｂ）にない場合は、循環ポンプ７をオフし、運転ランプ３４１が２点点滅する警報を確認して、運転スイッチ３４をオフさせ、スタートスイッチランプ３５１、運転ランプ３４１及び注湯コースランプ３７１を消灯させた後、上記状態を引き起こした原因を除去してから、再起動を行う。
　【００２３】
　なお、残湯洗いコースを選択した場合において、洗濯機２７を予約運転にセットすると、予約した時間が経過するまで洗濯機２７は停止しており、注水が行われなず、水流スイッチ１２はオフしているから、三方弁９が残湯注水位置（図１２ｂ）にあっても、洗濯機２７の予約運転により、第１待機時間ｔＷ１（例えば、５分間）が経過しても水流スイッチ１２がオンしない、即ち注湯管１１内の通水が検出されない場合は、三方弁９を循環位置（図１２ａ）に回動し、循環ポンプ７を停止させ、注水電磁弁２０を開放して、水洗いの状態で待機する。
　水洗いの状態で待機してから、第３待機時間ｔＷ３（例えば、１８時間）が経過するまでに水流スイッチ１２がオンする、即ち注湯管１１内の通水が検出された場合には、洗濯機２７の予約時間が経過して洗濯が開始されたものと判定し、注水電磁弁２０を閉じて循環ポンプ７を起動し、三方弁９を残湯注水位置（図１２ｂ）に回動させ、浴槽４内の残湯を風呂往入管５からフィルタ室１０を介して注湯管１１より洗濯機２７に供給する。
　【００２４】
　一方、第３待機時間ｔＷ３（１８時間）が経過しても水流スイッチ１２がオンしない場合、即ち注湯管１１内の通水が検出されない場合は、注水電磁弁２０を閉じ、三方弁９を一旦逆洗位置（図１２ｃ）に回動して圧力抜き動作を行ってから、循環位置（図１２ａ）に回動して停止させ、待機時間ｔ（１時間）経過後、スタートスイッチランプ３５１、運転ランプ３４１、注湯コースランプ３７１が消灯して洗濯が終了する。
　この圧力抜き動作により、洗濯機２７が水すすぎ動作を終了して注水電磁弁２０を閉じたときに、洗濯機２７内の電磁弁（図示略）から逆止弁１８及び三方弁９間での管路内に封じ込められた圧力（洗濯機２７内の電磁弁を閉止することによるウォータハンマのために給水圧よりも大きい）を、三方弁９を一旦逆洗位置（図１２ｃ）に回動して風呂循環回路側に逃がすことができ、三方弁９の弁体９０の周囲のパッキンの変形、劣化を防ぎ、三方弁９の耐久性を高めることができる。
　なお、フィルタ室１０に、圧力安全弁１４を介して連通管１３が風呂往入管５に連通されており、上記封じ込められた圧力を低減させてある程度以下の圧力とすることによって、封じ込められた圧力が高すぎることによる三方弁９の駆動モータの負荷が過大になることを防ぐとともに、弁体９０の周囲のパッキンの損傷を防ぐことができる。
　【００２５】
　また、水流スイッチ１２がオンしたまま、第２待機時間ｔＷ２（例えば、３０分間）が経過した場合は、三方弁９を循環位置（図１２ａ）に回動して循環ポンプ７を停止させた後、三方弁９を一旦逆洗位置（図１２ｃ）に回動してから循環位置（図１２ａ）に回動して停止させ、待機時間ｔ（１時間）経過後、スタートスイッチランプ３５１、運転ランプ３４１、注湯コースランプ３７１が消灯して洗濯が終了する。
　【００２６】
　図４においてフィルタ逆洗行程について説明すると、三方弁９を循環位置（図１２ａ）に回動して、循環位置（図１２ａ）にあることを確認した後、循環ポンプ７を停止させ、注水電磁弁２０を開き、三方弁９を逆洗位置（図１２ｃ）に回動させて注水電磁弁２０が開放され、注湯管１１からフィルタ室１０に冷水が供給されてフィルタ１０１を洗浄（フィルタ逆洗）し、その後三方弁９を循環位置（図１２ａ）に回動して水すすぎ行程に移行する。
　【００２７】
　なお、フィルタ逆洗行程に入る際、始めに三方弁９を循環位置（図１２ａ）に回動した時に、第４待機時間ｔＷ４（例えば、２５秒間）が経過しても循環位置（図１２ａ）にあることを確認することができなかった場合、循環ポンプ７を停止させて運転ランプ３４１が２点点滅する警報を確認して、運転スイッチ３４をオフさせ、スタートスイッチランプ３５１、運転ランプ３４１及び注湯コースランプ３７１を消灯させた後、上記状態を引き起こした原因を除去してから、再起動を行う。
　【００２８】
　また、三方弁９を逆洗位置（図１２ｃ）に回動させた時に、第５待機時間ｔＷ５（例えば、２５秒間）が経過しても三方弁９が逆洗位置（図１２ｃ）にあることを確認できない場合、循環ポンプ７を停止させて運転ランプ３４１が２点点滅する警報を確認して、運転スイッチ３４をオフさせ、スタートスイッチランプ３５１、運転ランプ３４１及び注湯コースランプ３７１を消灯させた後、上記状態を引き起こした原因を除去してから、再起動を行う。
　【００２９】
　図５において、湯洗い行程を説明すると、初期状態チェック後、風呂給湯装置１の給湯熱交換器３の出湯の給湯設定温度Ｔｓを洗濯注湯設定温度にＴｓｗに変更し（Ｔｓ＞４０℃の時はＴｓｗ＝４０℃、Ｔｓ≦４０℃の時はＴｓｗ＝Ｔｓ）、浴室リモートコントローラ（図示略、以下浴室リモコンという）の優先ランプを点滅させて湯洗い行程にはいったことを表示し、三方弁９を循環位置（図１２ａ）に保持したまま注湯電磁弁１９を開放して、給湯分岐管２３、注湯管１１から洗濯機２７に湯を供給する。
　【００３０】
　水流スイッチ１２が所定時間（３分間）の間連続してオフとなるまで、湯の供給を継続し、水流スイッチ１２が所定時間（３分間）連続してオフとなると、風呂給湯装置１の出湯運転を停止させ、浴室リモコンの優先ランプを単なる点灯に復帰させ、給湯設定温度Ｔｓを浴室リモコンで設定された設定値に戻した後、注湯電磁弁１９を閉止し、注水電磁弁２０を開放して水すすぎ行程に移行する。
　【００３１】
　なお、湯洗いコースを選択した場合に、洗濯機２７を予約運転にセットすると、予約した時間が経過するまで洗濯機２７は停止しており、注水が行われなず、水流スイッチ１２はオフしているから、水流スイッチ１２のオフが第１待機時間ｔＷ１（５分間）継続した場合、即ち注湯管１１内に第１待機時間ｔＷ１（５分間）水流が無い場合は、注湯電磁弁１９を閉止して注水電磁弁２０を開き、風呂給湯装置１の出湯が停止されたことを確認し、浴室リモコンの優先ランプを単なる点灯に復帰させて湯洗い行程ではなく通常の出湯が可能であることを示し、給湯設定温度Ｔｓを浴室リモコンで設定された設定値に戻して、給水分岐管２４を注湯管１１に連通させる水洗い行程の状態で待機する。
　【００３２】
　第３待機時間ｔＷ３（１８時間）が経過する前に水流スイッチ１２がオンする、即ち注湯管１１内の通水が検出されると、給湯設定温度Ｔｓを洗濯注湯設定温度にＴｓｗに変更し（Ｔｓ＞４０℃の時はＴｓｗ＝４０℃、Ｔｓ≦４０℃の時はＴｓｗ＝Ｔｓ）、浴室リモートコントローラ（図示略、以下浴室リモコンという）の優先ランプを点滅させて湯洗い行程にはいったことを表示し、注水電磁弁２０が閉止されて注湯電磁弁１９を開いて、給湯分岐管２３、注湯管１１から洗濯機２７に湯を供給して湯洗いを行い、水流スイッチ１２が所定時間（３分間）の間連続してオフとなるまで湯の供給を継続する。
　【００３３】
　また、第３待機時間ｔＷ３（１８時間）が経過しても水流スイッチ１２がオンしない場合、即ち注湯管１１内の通水が検出されない場合は、注水電磁弁２０を閉じ、三方弁９を一旦逆洗位置（図１２ｃ）に回動してから循環位置（図１２ａ）に回動して停止させ、待機時間ｔ（１時間）経過後、スタートスイッチランプ３５１、運転ランプ３４１、注湯コースランプ３７１が消灯して洗濯が終了する。
　【００３４】
　さらに、第４待機時間ｔＷ４（例えば、１８時間）経過しても水流スイッチ１２が所定時間（３分間）の間連続してオフしない場合は、注湯電磁弁１９を閉止して、三方弁９を一旦逆洗位置（図１２ｃ）に回動してから循環位置（図１２ａ）に回動して停止させ、待機時間ｔ（１時間）経過後、スタートスイッチランプ３５１、運転ランプ３４１、注湯コースランプ３７１が消灯して洗濯が終了する。
　【００３５】
　図６において水洗い行程を説明すると、初期状態チェック後、注水電磁弁２０を開き、水流スイッチ１２が所定時間（３分間）の間連続してオフするまで、通水を継続し、水流スイッチ１２が所定時間（３分間）の間連続してオフしたことを確認すると水すすぎ行程に移行する。
　初期状態チェック後、注水電磁弁２０を開いても水流スイッチ１２がオフしたままで第３待機時間ｔＷ３（１８時間）が経過すると、注水電磁弁２０を閉止して、三方弁９を一旦逆洗位置（図１２ｃ）に回動してから循環位置（図１２ａ）に回動して停止させ、待機時間ｔ（１時間）経過後、スタートスイッチランプ３５１、運転ランプ３４１、注湯コースランプ３７１が消灯して洗濯が終了する。
　また、水流スイッチ１２オンが続いて第６待機時間ｔＷ６（例えば、２時間）経過しても水流スイッチ１２が所定時間（３分間）の間連続してオフしない場合は、注水電磁弁２０を閉止して、三方弁９を一旦逆洗位置（図１２ｃ）に回動してから循環位置（図１２ａ）に回動して停止させ、待機時間ｔ（１時間）経過後、スタートスイッチランプ３５１、運転ランプ３４１、注湯コースランプ３７１が消灯して洗濯が終了する。
　【００３６】
　図７において水すすぎ行程を説明すると、残湯洗いコースにおけるフィルタ逆洗行程、湯洗い行程、または水洗い行程が終了した後に移行するものであり、注水電磁弁２０が開かれているから、洗濯機２７が通水を開始して、水流スイッチ１２がオンして通水を確認すると、水流スイッチ１２が設定時間ｔ０（例えば、１５分間）連続してオフ、即ち注湯管１１内に設定時間ｔ０（１５分間）連続して通水が無い場合、水すすぎ行程が終了したものとして注水電磁弁２０を閉じて、三方弁９を一旦逆洗位置（図１２ｃ）に回動して圧力抜き動作を行ってから、循環位置（図１２ａ）に回動して停止させ、待機時間ｔ（１時間）の経過後、スタートスイッチランプ３５１、運転ランプ３４１、注湯コースランプ３７１が消灯して洗濯が終了する。
　【００３７】
　なお、水すすぎ行程に移行して直ぐに、水流スイッチ１２がオンしないまま第１設定時間ｔ１（例えば、１８時間）が経過するか、または水流スイッチ１２が設定時間ｔ０（１５分間）連続してオフしないまま第２設定時間ｔ２（例えば、２時間）が経過した場合、注水電磁弁２０を閉じて、三方弁９を一旦逆洗位置（図１２ｃ）に回動して圧力抜き動作を行ってから、循環位置（図１２ａ）に回動して停止させ、待機時間ｔ（１時間）経過後、スタートスイッチランプ３５１、運転ランプ３４１、注湯コースランプ３７１が消灯して洗濯が終了する。
　【００３８】
　以上、上記実施例においては、水すすぎ行程が終了したとき、注水電磁弁２０を閉じてから、三方弁９を一旦逆洗位置（図１２ｃ）に回動して圧力抜き動作を行っているが、風呂給湯装置１側が、浴槽４の水位を圧力センサで監視して自動運転を行っている場合、洗濯注湯ユニット８が浴槽４内の水面より高い位置に設置されていると、三方弁９を逆洗位置（図１２ｃ）に切り替えた時に、水頭圧の差により洗濯注湯ユニット８内の水が流出し、逆止弁１８が開いて空気を吸い込むことになり、その結果、風呂循環回路（風呂循環熱交換器２、風呂往入管５、風呂戻り管６等）に空気が混入するため、風呂循環回路を介して浴槽水位に基づく圧力を検出している圧力センサは、浴槽４内の水位を誤認することになる問題があるので、このような風呂循環回路を使用する風呂給湯装置１の運転中は、前記圧力抜き動作を実行しない。
　【００３９】
　図８は残湯洗いコースを途中で停止する場合の動作を示すものであり、運転スイッチ３４をオフすると、スタートスイッチランプ３５１、注湯コースランプ３７１、運転ランプ３４１が消灯し、三方弁９を循環位置（図１２ａ）に回動して停止させ、循環ポンプ７を停止させて終了する。
　【００４０】
　図９は湯洗いコースを途中で停止する場合の動作を示すものであり、運転スイッチ３４をオフすると、スタートスイッチランプ３５１、注湯コースランプ３７１、運転ランプ３４１が消灯し、浴室リモコンの優先ランプを単なる点灯に復帰させて湯洗い行程ではなく通常の出湯が可能であることを示し、給湯設定温度Ｔｓを浴室リモコンで設定された設定値に戻した後、注湯電磁弁１９を閉じ、三方弁９を一旦逆洗位置（図１２ｃ）に回動してから循環位置（図１２ａ）に回動して停止させて終了する。
　【００４１】
　図１０は水洗いコースを途中で停止する場合の動作を示すものであり、運転スイッチ３４をオフすると、スタートスイッチランプ３５１、注湯コースランプ３７１、運転ランプ３４１が消灯し、注水電磁弁２０を閉じ、三方弁９を一旦逆洗位置（図１２ｃ）に回動してから循環位置（図１２ａ）に回動して停止させて終了する。
　【００４２】
　【発明の効果】
　本発明は、上述のとおり構成されているから次に述べる効果を奏する。
　残湯洗いコース或いは湯洗いコースを選択した場合、第１待機時間が経過するまで洗濯機への通水が無い時は、残湯を供給する残湯洗い行程、或いは湯を供給供給する湯洗い行程を中断して、注水電磁弁を開き、水道水を加熱せずに洗濯機に供給する水洗い行程の態勢で待機することにより、残湯洗いコース、或いは湯洗いコースを選択し、洗濯機を予約運転にセットした場合に、予約時間が経過する迄の間、循環ポンプの不要な連続運転を防止することができるとともに、給湯設定温度を任意に設定できるものである。
　また、残湯洗いコース或いは湯洗いコースを選択し、水洗い行程の態勢で待機している時に、洗濯機への通水を生じた場合、通水を検出した時点で元の残湯洗い行程或いは湯洗い行程に復帰させることにより、洗濯機を予約運転にセットした場合に、予約時間が経過した時点で確実に残湯洗いコース或いは湯洗いコースを開始することができる。
【図面の簡単な説明】
　【図１】　本発明の動作を示すフローチャートである。
　【図２】　初期状態チェックの動作を示すフローチャートである。
　【図３】　残湯洗い行程の動作を示すフローチャートである。
　【図４】　フィルタ逆洗行程の動作を示すフローチャートである。
　【図５】　湯洗い行程の動作を示すフローチャートである。
　【図６】　水洗い行程の動作を示すフローチャートである。
　【図７】　水すすぎ行程の動作を示すフローチャートである。
　【図８】　残湯洗いコース終了時の動作を示すフローチャートである。
　【図９】　湯洗いコース終了時の動作を示すフローチャートである。
　【図１０】　水洗いコース終了時の動作を示すフローチャートである。
　【図１１】　本発明を適用する洗濯注湯ユニットの概略構成図である。
　【図１２】　洗濯注湯ユニットの三方弁の切替説明図である。
　【図１３】　リモートコントローラの操作面の平面図である。
　【符号の説明】
　１　風呂給湯装置、２　風呂循環熱交換器、３　給湯熱交換器、４　浴槽
　５　風呂往入管、６　風呂戻り管、７　循環ポンプ、８　洗濯注湯ユニット
　９　三方弁、１０　フィルタ室、１１　注湯管、１２　水流スイッチ
１９　注湯電磁弁、２０　注水電磁弁、２２　水ガバナ、２３　給湯分岐管
２４　給水分岐管、２６　水栓、２７　洗濯機、３１　給水管、３２　給湯管